(57)【要約】【課題】使用状況によるロスを抑制するために十分なアドバイスをユーザに表示する。【解決手段】温水供給システムは、温水を加熱する加熱手段と、加熱手段で加熱された温水を貯留する貯湯タンクと、貯湯タンク内に貯留された温水が供給される温水供給端末と、貯湯タンクから温水供給端末への温水供給が継続される供給継続時間を検知する供給継続時間検知手段９１と、表示部に表示される内容を制御する表示制御手段９８とを備え、表示制御手段９８は、供給継続時間検知手段９１で検知された時間に基づいて、ユーザに対するアドバイス情報を表示部８５ａに表示する。【選択図】図２
2011149581.tif 000002
【特許請求の範囲】
【請求項１】
温水を加熱する加熱手段と、
前記加熱手段で加熱された温水を貯留する貯湯タンクと、
前記貯湯タンク内に貯留された温水が供給される温水供給端末と、
前記貯湯タンクから前記温水供給端末への温水供給が継続される供給継続時間を検知する供給継続時間検知手段と、
表示部に表示される内容を制御する表示制御手段とを備え、
前記表示制御手段は、前記供給継続時間検知手段で検知された時間に基づいて、ユーザに対するアドバイス情報を前記表示部に表示することを特徴とする温水供給システム。
【請求項２】
前記貯湯タンクから前記温水供給端末へ供給される温水量を検出する流量センサを備え、
前記供給継続時間検知手段は、前記流量センサで連続して流量が検出された時間に基づいて前記供給継続時間を検知することを特徴とする請求項１に記載の温水供給システム。
【請求項３】
温水を加熱する加熱手段と、
前記加熱手段で加熱された温水を貯留する貯湯タンクと、
前記貯湯タンク内に貯留された温水が供給される浴槽と、
前記貯湯タンクから前記浴槽に供給された温水の追い焚きを行う追い焚き手段と、
前記追い焚き手段による温水の追い焚き時間を検知する追い焚き時間検知手段と、
表示部に表示される内容を制御する表示制御手段とを備え、
前記表示制御手段は、前記追い焚き時間検知手段で検知された時間に基づいて、ユーザに対するアドバイス情報を前記表示部に表示することを特徴とする温水供給システム。
【請求項４】
温水を加熱する加熱手段と、
前記加熱手段で加熱された温水を貯留する貯湯タンクと、
前記貯湯タンク内に貯留された温水が供給される温水供給端末と、
前記貯湯タンクから前記温水供給端末に供給される温水の供給温度を検知する供給温度検知手段と、
表示部に表示される内容を制御する表示制御手段とを備え、
前記表示制御手段は、前記供給温度検知手段で検知された供給温度に基づいて、ユーザに対するアドバイス情報を前記表示部に表示することを特徴とする温水供給システム。
【請求項５】
温水を加熱する加熱手段と、
前記加熱手段で加熱された温水を貯留する貯湯タンクと、
前記貯湯タンク内に貯留された温水が供給される浴槽と、
前記貯湯タンクから前記浴槽への温水供給完了後において、前記浴槽内の温水が保温されている間のうち、前記浴槽が使用されない時間を検知する保温時間検知手段と、
表示部に表示される内容を制御する表示制御手段とを備え、
前記表示制御手段は、前記保温時間検知手段で検知された時間に基づいて、ユーザに対するアドバイス情報を前記表示部に表示することを特徴とする温水供給システム。
【請求項６】
温水を加熱する加熱手段と、
前記加熱手段で加熱された温水を貯留する貯湯タンクと、
前記貯湯タンク内に貯留された温水が供給される浴槽と、
前記浴槽の蓋が開放された状態であることを検出する蓋開放検出センサと、
前記貯湯タンクから前記浴槽への温水供給完了後において、前記浴槽が使用されない時間であって、且つ、前記浴槽の蓋が開放された時間を検知する蓋開放時間検知手段と、
表示部に表示される内容を制御する表示制御手段とを備え、
前記表示制御手段は、前記蓋開放時間検知手段で検知された時間に基づいて、ユーザに対するアドバイス情報を前記表示部に表示することを特徴とする温水供給システム。
【請求項７】
前記浴槽が使用されているか否かを検知する使用検知手段を備え、
前記使用検知手段は、前記浴槽内の温水量を検出する水位センサを含むことを特徴とする請求項５または６に記載の温水供給システム。
【発明の詳細な説明】
【技術分野】
【０００１】
本発明は、温水供給システムにおける温水使用状況に基づいて、ユーザに対するアドバイス情報を表示可能な温水供給システムに関する。
【背景技術】
【０００２】
従来の温水供給システムとして、過去１週間以内の１日あたりの最大使用湯量と最小使用湯量の差に基づいて、アドバイス表示が行われるものがある（例えば、特許文献１参照）。
【先行技術文献】
【特許文献】
【０００３】
【特許文献１】特開２００８−８９２０８号公報
【発明の概要】
【発明が解決しようとする課題】
【０００４】
ところが、従来の温水供給システムで表示されるアドバイスは、温水供給システムの使用状況等によるロスを抑制するためのアドバイスとして不十分であった。
【０００５】
本発明の目的は、使用状況によるロスを抑制するために十分なアドバイスをユーザに対して表示可能な温水供給システムを提供することである。
【課題を解決するための手段】
【０００６】
第１の発明に係る温水供給システムは、温水を加熱する加熱手段と、加熱手段で加熱された温水を貯留する貯湯タンクと、貯湯タンク内に貯留された温水が供給される温水供給端末と、貯湯タンクから温水供給端末への温水供給が継続される供給継続時間を検知する供給継続時間検知手段と、表示部に表示される内容を制御する表示制御手段とを備え、表示制御手段は、供給継続時間検知手段で検知された時間に基づいて、ユーザに対するアドバイス情報を表示部に表示する。
【０００７】
この温水供給システムでは、貯湯タンクから温水供給端末への温水供給が継続される供給継続時間に着目し、この時間に基づいたアドバイス情報を表示部に表示することにより、貯湯タンク内に貯留された温水の使用状況によるロスを抑制するために十分なアドバイス情報をユーザに表示することができる。
【０００８】
第２の発明に係る温水供給システムは、第１の発明に係る温水供給システムにおいて、貯湯タンクから温水供給端末へ供給される温水量を検出する流量センサを備え、供給継続時間検知手段は、流量センサで連続して流量が検出された時間に基づいて供給継続時間を検知する。
【０００９】
この温水供給システムでは、流量センサで連続して流量が検出された時間に基づいて供給継続時間を容易に検知できる。
【００１０】
第３の発明に係る温水供給システムは、温水を加熱する加熱手段と、加熱手段で加熱された温水を貯留する貯湯タンクと、貯湯タンク内に貯留された温水が供給される浴槽と、貯湯タンクから浴槽に供給された温水の追い焚きを行う追い焚き手段と、追い焚き手段による温水の追い焚き時間を検知する追い焚き時間検知手段と、表示部に表示される内容を制御する表示制御手段とを備え、表示制御手段は、追い焚き時間検知手段で検知された時間に基づいて、ユーザに対するアドバイス情報を表示部に表示する。
【００１１】
この温水供給システムでは、貯湯タンクから浴槽に供給された温水の追い焚き時間に着目し、この時間に基づいたアドバイス情報を表示部に表示することにより、貯湯タンク内に貯留された温水や、貯湯タンクから浴槽に供給された温水の使用状況によるロスを抑制するために十分なアドバイス情報をユーザに表示することができる。
【００１２】
第４の発明に係る温水供給システムは、温水を加熱する加熱手段と、加熱手段で加熱された温水を貯留する貯湯タンクと、貯湯タンク内に貯留された温水が供給される温水供給端末と、貯湯タンクから温水供給端末に供給される温水の供給温度を検知する供給温度検知手段と、表示部に表示される内容を制御する表示制御手段とを備え、表示制御手段は、供給温度検知手段で検知された供給温度に基づいて、ユーザに対するアドバイス情報を前記表示部に表示する。
【００１３】
この温水供給システムでは、貯湯タンクから温水供給端末に供給される温水の供給温度に着目し、この温度に基づいたアドバイス情報を表示部に表示することにより、貯湯タンク内に貯留された温水の使用状況によるロスを抑制するために十分なアドバイス情報をユーザに表示することができる。
【００１４】
第５の発明に係る温水供給システムは、温水を加熱する加熱手段と、加熱手段で加熱された温水を貯留する貯湯タンクと、貯湯タンク内に貯留された温水が供給される浴槽と、貯湯タンクから浴槽への温水供給完了後において、浴槽内の温水が保温されている間のうち、浴槽が使用されない時間を検知する保温時間検知手段と、表示部に表示される内容を制御する表示制御手段とを備え、表示制御手段は、保温時間検知手段で検知された時間に基づいて、ユーザに対するアドバイス情報を表示部に表示する。
【００１５】
この温水供給システムでは、貯湯タンクから浴槽への温水供給完了後において、浴槽内の温水が保温されている間のうち、浴槽が使用されない時間に着目し、この時間に基づいたアドバイス情報を表示部に表示することにより、浴槽からの放熱によるロスを抑制するために十分なアドバイス情報をユーザに表示することができる。
【００１６】
なお、本発明中の「浴槽が使用されない」とは、ユーザが浴槽に入浴していない場合の他に、ユーザが浴室に入室していない場合等が含まれる。
【００１７】
第６の発明に係る温水供給システムは、温水を加熱する加熱手段と、加熱手段で加熱された温水を貯留する貯湯タンクと、貯湯タンク内に貯留された温水が供給される浴槽と、浴槽の蓋が開放された状態であることを検出する蓋開放検出センサと、貯湯タンクから浴槽への温水供給完了後において、浴槽が使用されない時間であって、且つ、浴槽の蓋が開放された時間を検知する蓋開放時間検知手段と、表示部に表示される内容を制御する表示制御手段とを備え、表示制御手段は、蓋開放時間検知手段で検知された時間に基づいて、ユーザに対するアドバイス情報を表示部に表示する。
【００１８】
この温水供給システムでは、貯湯タンクから浴槽への温水供給完了後において、浴槽が使用されない時間であって、且つ、浴槽の蓋が開放された時間に着目し、この時間に基づいたアドバイス情報を表示部に表示することにより、浴槽からの放熱によるロスを抑制するために十分なアドバイス情報をユーザに表示することができる。
【００１９】
なお、本発明中の「浴槽が使用されない」とは、ユーザが浴槽に入浴していない場合の他に、ユーザが浴室に入室していない場合等が含まれる。
【００２０】
第７の発明に係る温水供給システムは、第５または第６の発明に係る温水供給システムにおいて、浴槽が使用されているか否かを検知する使用検知手段を備え、使用検知手段は、浴槽内の温水量を検出する水位センサを含む。
【００２１】
この温水供給システムでは、浴槽内の温水量を検出する水位センサの出力に基づいて、浴槽が使用されているか否かを容易に検知できる。
【発明の効果】
【００２２】
以上の説明に述べたように、本発明によれば、以下の効果が得られる。
【００２３】
第１の発明では、貯湯タンクから温水供給端末への温水供給が継続される供給継続時間に着目し、この時間に基づいたアドバイス情報を表示部に表示することにより、貯湯タンク内に貯留された温水の使用状況によるロスを抑制するために十分なアドバイス情報をユーザに表示することができる。
【００２４】
また、第２の発明では、流量センサで連続して流量が検出された時間に基づいて供給継続時間を容易に検知できる。
【００２５】
また、第３の発明では、貯湯タンクから浴槽に供給された温水の追い焚き時間に着目し、この時間に基づいたアドバイス情報を表示部に表示することにより、貯湯タンク内に貯留された温水や、貯湯タンクから浴槽に供給された温水の使用状況によるロスを抑制するために十分なアドバイス情報をユーザに表示することができる。
【００２６】
また、第４の発明では、貯湯タンクから温水供給端末に供給される温水の供給温度に着目し、この温度に基づいたアドバイス情報を表示部に表示することにより、貯湯タンク内に貯留された温水の使用状況によるロスを抑制するために十分なアドバイス情報をユーザに表示することができる。
【００２７】
また、第５の発明では、貯湯タンクから浴槽への温水供給完了後において、浴槽内の温水が保温されている間のうち、浴槽が使用されない時間に着目し、この時間に基づいたアドバイス情報を表示部に表示することにより、浴槽からの放熱によるロスを抑制するために十分なアドバイス情報をユーザに表示することができる。
【００２８】
また、第６の発明では、貯湯タンクから浴槽への温水供給完了後において、浴槽が使用されない時間であって、且つ、浴槽の蓋が開放された時間に着目し、この時間に基づいたアドバイス情報を表示部に表示することにより、浴槽からの放熱によるロスを抑制するために十分なアドバイス情報をユーザに表示することができる。
【００２９】
また、第７の発明では、浴槽内の温水量を検出する水位センサの出力に基づいて、浴槽が使用されているか否かを容易に検知できる。
【図面の簡単な説明】
【００３０】
【図１】本発明の一実施形態に係る温水供給システムの配管系統図である。
【図２】温水供給システムの制御部の構成を示したブロック図である。
【図３】台所リモコンの正面図である。
【図４】浴室リモコンの正面図である。
【図５】リモコンの表示部に表示された各種画面の一例を示している。
【図６】アドバイス表示／効果表示動作を示すフローチャートである。
【発明を実施するための形態】
【００３１】
以下、図面に基づいて、本発明に係る温水供給システムの一実施形態について説明する。図１は、本発明の一実施形態に係る温水供給システムの配管系統図である。図２は、温水供給システムの制御部の構成を示したブロック図である。図３は、台所リモコンの正面図である。図４は、浴室リモコンの正面図である。
【００３２】
[温水供給システム１]
温水供給システム１は、カランＡ、シャワーＢ及び浴槽Ｃ（温水供給端末）に湯を供給する装置であって、図１に示すように、ヒートポンプユニット１ａ（加熱手段）と、貯湯ユニット１ｂと、台所に設置された台所リモコン８５（図２参照）と、浴室に設置された浴室リモコン８６（図２参照）と、制御部９０とを備えている。
【００３３】
［ヒートポンプユニット１ａ］
ヒートポンプユニット１ａは、貯湯タンク２０の下部から供給される水を加熱し、その加熱した湯を貯湯タンク２０に供給する。このヒートポンプユニット１ａは、圧縮機１０と、水熱交換器１１と、電動膨張弁１２と、空気熱交換機１３と、ファン１４とを有している。そして、この圧縮機１０、水熱交換器１１、電動膨張弁１２、空気熱交換機１３及び弁類等が冷媒配管１５によって環状に接続されることにより冷媒回路１６を構成している。この冷媒回路１６上には、水熱交換器１１から出る高温高圧の冷媒と空気熱交換機１３から出る冷温低圧の冷媒との間で熱交換を行うためのガス熱交換器１７が配置されている。
【００３４】
［貯湯ユニット１ｂ］
貯湯ユニット１ｂは、貯湯タンク２０と、沸き上げ循環回路３０と、追焚循環回路４０（追い焚き手段）と、湯循環回路５０と、給湯回路６０及び７０と、給水回路８０とを有している。
【００３５】
［貯湯タンク２０］
貯湯タンク２０は、ヒートポンプユニット１ａにより沸き上げられた湯を貯湯している。この貯湯タンク２０には、沸き上げ循環回路３０、追焚循環回路４０、浴槽給湯回路６０、カラン／シャワー給湯回路７０及び給水回路８０が接続されており、ヒートポンプユニット１ａにより沸き上げられた湯は、沸き上げ循環回路３０、追焚循環回路４０、浴槽給湯回路６０及びカラン／シャワー給湯回路７０に供給されるように構成されている。この貯湯タンク２０の下部には、給水源Ｓから供給される水が給水回路８０を介して供給される。この貯湯タンク２０には、貯湯タンク２０の残湯量を検知する複数の残湯量サーミスタ２１が設けられている。これらの複数の残湯量サーミスタ２１は、貯湯タンク２０の異なる高さ位置にそれぞれ設けられている。
【００３６】
［沸き上げ循環回路３０］
沸き上げ循環回路３０は、貯湯タンク２０とヒートポンプユニット１ａとの間で湯を循環させて加熱するために設けられる回路であって、その回路上には、沸き上げポンプ３１と、上記した水熱交換器１１と、沸き上げ三方弁３２とが配置されている。この沸き上げ循環回路３０の一方端は、貯湯タンク２０の底部に接続されており、貯湯タンク２０の下部の低温の水が出水可能となっている。また、沸き上げ循環回路３０の他方端は、三方弁３２から分岐しており、その一方は貯湯タンク２０の頂部に接続されると共に、他方は貯湯タンク２０の底部に接続されている。これにより、ヒートポンプユニット１ａにより加熱された湯が低温の場合には、その低温の水を貯湯タンク２０の下部に戻すことが可能となると共に、ヒートポンプユニット１ａにより加熱された湯が高温の場合には、その高温の湯を貯湯タンク２０の上部に戻すことが可能となる。また、沸き上げ循環回路３０には、ヒートポンプユニット１ａに供給される水の温度（以下、入水温度とする）を検知する入水サーミスタ１８、及び、ヒートポンプユニット１ａにより加熱された水の温度（以下、出湯温度とする）を検知する出湯サーミスタ１９が設けられている。
【００３７】
［追焚循環回路４０］
追焚循環回路４０は、貯湯タンク２０内の湯を循環させる回路であって、後述する湯循環回路５０を循環する浴槽Ｃの水を加熱するために設けられるものである。この回路上には、追焚熱交換器４１と、熱交循環ポンプ４２とが配置されている。この追焚循環回路４０の一方端は、貯湯タンク２０の頂部に接続されており、貯湯タンク２０上部にある高温の湯が出湯可能となっている。また、追焚循環回路４０の他方端は、貯湯タンク２０の底部に接続されており、追焚熱交換器４１で熱交換された低温の水を貯湯タンク２０の下部に戻すことが可能となっている。
【００３８】
［湯循環回路５０］
湯循環回路５０は、浴槽Ｃの湯を循環させる循環回路であって、上記した追焚循環回路４０を循環する湯と熱交換することにより浴槽Ｃの水が加熱される。この回路上には、熱交循環ポンプ５１と、上記した追焚熱交換器４１とが配置されている。また、湯循環回路５０には、浴槽Ｃの湯の温度を検知する浴槽サーミスタ５２、及び、浴槽Ｃの水位を検知する水位センサ５３（使用検知手段）が設けられている。従って、水位センサ５３は、ユーザが浴槽Ｃに入浴しているか否か（浴槽が使用されているか否か）を検知できる。
【００３９】
［浴槽給湯回路６０］
浴槽給湯回路６０は、貯湯タンク２０に貯湯される湯を浴槽Ｃに供給するための回路であって、その回路上には、湯はり混合弁６１と、湯はり電磁弁６２と、逆止弁６３と、湯はり水量センサ６４と、逆止弁６５と、湯はりサーミスタ６６とが配置されている。この浴槽給湯回路６０の一方端は、貯湯タンク２０の頂部に接続されており、貯湯タンク２０の上部の高温の湯が出湯可能となっている。また、浴槽給湯回路６０の他方端は、浴槽Ｃに接続されている。湯はり混合弁６１は、貯湯タンク２０から供給される湯と給水源Ｓから供給される水とを混合することによって、浴槽Ｃに供給される湯の温度を調整する。また、湯はり水量センサ６４は、浴槽Ｃに供給される湯の流量を検知するために設けられると共に、湯はりサーミスタ６６は、浴槽Ｃに供給される湯の温度を検知するために設けられている。
【００４０】
［カラン／シャワー給湯回路７０］
カラン／シャワー給湯回路７０は、貯湯タンク２０に貯湯される湯をカランＡ及びシャワーＢに供給するための回路であって、その回路上には、給湯混合弁７１と、給湯水量センサ７２（流量センサ）と、給湯サーミスタ７３とが配置されている。このカラン／シャワー給湯回路７０の一方端は、貯湯タンク２０の頂部に接続されており、貯湯タンク２０の上部の高温の湯が出湯可能となっている。また、カラン／シャワー給湯回路７０の他方端は、カランＡ及びシャワーＢに接続されている。給湯混合弁７１は、貯湯タンク２０から供給される湯と給水源Ｓから供給される水とを混合することによって、カランＡ及びシャワーＢに供給される湯の温度を調整する。また、給湯水量センサ７２は、カランＡ及びシャワーＢに供給される湯の流量を検知するために設けられると共に、給湯サーミスタ７３は、カランＡ及びシャワーＢに供給される湯の温度を検知するために設けられている。
【００４１】
［給水回路８０］
給水回路８０は、給水源Ｓから供給される水道水を貯湯タンク２０、湯はり混合弁６１及び給湯混合弁７１に供給する回路である。この給水回路８０の給水源Ｓから貯湯タンク２０までの回路上には、ストレーナ８１と、逆止弁８２と、水温サーミスタ８３と、逆止弁８４とが配置されている。水温サーミスタ８３は、給水源Ｓから貯湯タンク２０に供給される水道水の温度を検知するために設けられている。
【００４２】
次に、温水供給システムにおける温水供給について説明する。
【００４３】
［沸き増し運転］
ヒートポンプユニット１ａによる貯湯タンク２０の沸き増し運転は、給水回路８０において給水源Ｓから貯湯タンク２０に給水されると共に、沸き上げ回路３０を介して沸き上げられた温水が貯湯タンク２０内に供給される運転である。この沸き増し運転は、リモコン８５の沸き増しボタン１０６（図３参照）が押下された場合に開始されたり、湯量サーミスタ２１の検知結果に基づいて自動的に開始される。沸き上げ循環回路３０において、貯湯タンク２０下部にある低温の水は、図１に示すように、沸き上げポンプ３１が駆動することにより、ヒートポンプユニット１ａの水熱交換器１１に供給される。そして、当該水熱交換器１１で熱交換されて加熱された水は、三方弁３２を介して貯湯タンク２０に貯湯される。この際、ヒートポンプユニット１ａの駆動時など貯湯タンク２０に向かう水の温度が所定の温度未満の場合には、貯湯タンク２０の下部に戻され、貯湯タンク２０に貯湯される水の温度が当該所定の温度以上の場合には、貯湯タンク２０の上部に戻される。
【００４４】
［給湯運転］
カランＡやシャワーＢで給湯を行う場合、貯湯タンク２０に貯湯される湯がカランＡやシャワーＢに供給される給湯運転が開始される。カラン／シャワー給湯回路７０において、貯湯タンク２０の上部から出湯される高温の湯は、図１に示すように、給湯混合弁７１で給水源Ｓから供給される水と混合されて、台所リモコン８５の給湯温度設定ボタン１０２（図３参照）及び浴室リモコン８６の給湯温度設定ボタン１１２（図４参照）により設定した給湯温度に調整される。そして、この調整された湯は、カランＡ又はシャワーＢに供給される。
【００４５】
［湯はり運転］
浴槽Ｃの湯はりを行う湯はり運転は、浴室リモコン８６の湯はりボタン１１５（図４参照）が押下されることにより行われる。浴槽給湯回路６０において、貯湯タンク２０の上部から出湯される高温の湯は、図１に示すように、湯はり混合弁６１で給水源Ｓから供給される水と混合されて、浴室リモコン８６の浴槽温度設定ボタン１１３により設定した浴槽設定温度に調整される。そして、この調整された湯は、湯はり電磁弁６２を介して浴槽Ｃに供給される。
【００４６】
［追い焚き運転］
浴槽Ｃの湯を加熱する追い焚き運転は、浴室リモコン８６の追い焚きボタン１１６（図４参照）が押下されることにより行われる。この追い焚き運転では、貯湯タンク２０に貯湯される湯を追焚循環回路４０に循環させると共に、浴槽Ｃの水を湯循環回路５０に循環させる。追焚循環回路４０では、熱交循環ポンプ４２が駆動することにより、貯湯タンク２０の上部から出湯される高温の湯が、図１に示すように、追焚熱交換器４１を介して貯湯タンク２０の下部に戻される。また、湯循環回路５０では、熱交循環ポンプ５１が駆動することにより、浴槽Ｃの水が、追焚熱交換器４１を介して浴槽Ｃに戻される。このとき、追焚循環回路４０を循環する高温の湯と湯循環回路５０を循環する浴槽Ｃの水とを追焚熱交換器４１で熱交換させることによって、追焚循環回路４０を循環する浴槽Ｃの水が加熱される。
【００４７】
［保温運転］
浴槽Ｃの湯はりを行った場合、その湯はり完了後から所定の保温時間が経過するまでの間、浴槽Ｃの水の温度が低下しないように保温運転が行われる。この保温運転の動作は、上記した追い焚き運転と同様に、貯湯タンク２０に貯湯される湯を追焚循環回路４０に循環させると共に、浴槽Ｃの水を湯循環回路５０に循環させる。追焚循環回路４０では、熱交循環ポンプ４２が駆動することにより、貯湯タンク２０の上部から出湯される高温の湯が、追焚熱交換器４１を介して貯湯タンク２０の下部に戻される。また、湯循環回路５０では、熱交循環ポンプ５１が駆動することにより、浴槽Ｃの水が、追焚熱交換器４１を介して浴槽Ｃに戻される。このとき、追焚循環回路４０を循環する高温の湯と湯循環回路５０を循環する浴槽Ｃの水とを追焚熱交換器４１で熱交換させることによって、浴槽Ｃの水の温度が低下しないようにする。
【００４８】
［制御部９０］
図２に示すように、温水供給システム１には、マイコンやメモリ等により構成される制御部９０が設けられている。この制御部９０は、上記した入水サーミスタ１８、出湯サーミスタ１９、複数の残湯量サーミスタ２１、熱交循環ポンプ４２、熱交循環ポンプ５１、浴槽サーミスタ５２、水位センサ５３、浴槽Ｃの蓋が開放された状態であることを検出する蓋センサ５４、湯はり水量センサ６４、湯はりサーミスタ６６、給湯水量センサ７２、給湯サーミスタ７３、リモコン８５、８６等と有線又は無線により通信可能に接続されている。例えば、ユーザによりリモコン８５、８６に入力された運転指令は、制御部９０へと送られ、制御部９０は、当該運転指令に基づいて各構成に対して制御信号を出力することにより温水供給システム１の運転を制御する。
【００４９】
制御部９０は、供給継続時間検知部９１（供給継続時間検知手段）と、使用ペース検知部９２と、供給温度検知部９３（供給温度検知手段）と、追い焚き時間検知部９４（追い焚き時間検知手段）と、湯はり完了検知部９５と、入浴検知部９６（保温時間検知手段及び蓋開放時間検知手段）と、蓋開放検知部９７と、表示制御部９８（表示制御手段）とを備えている。
【００５０】
[供給継続時間検知部９１]
供給継続時間検知部９１は、上述した給湯水量センサ７２で連続して流量が検出された時間に基づいて、貯湯タンク２０からカランＡ又はシャワーＢへの温水供給が継続される供給継続時間を検知する。また、給湯水量センサ７２が流量を検知しているか否かは、給湯水量センサ７２により検知される湯の単位時間当たりの流量と、予め決められた所定流量とを比較することにより判断される。従って、所定流量を少量に設定することにより、供給継続時間検知部９１は、カランＡ又はシャワーＢに温水が供給される時間を検知できる。また、供給継続時間は、カランＡ又はシャワーＢへの給湯が行われるたびに検知され、１日の最大値が、最大供給継続時間として、制御部９０のメモリに記憶される。
【００５１】
[使用ペース判定部９２]
使用ペース検知部９２は、所定の期間（例えば、午前零時〜正午）において貯湯タンク２０からカランＡ、シャワーＢ及び浴槽Ｃに供給される熱量を検知する。つまり、使用ペース検知部９２は、貯湯タンク２０からカランＡ、シャワーＢ及び浴槽Ｃに供給される温水供給量と、その温水の温度に基づいて、カランＡ、シャワーＢ及び浴槽Ｃにそれぞれ供給される熱量を検知すると共に、追焚循環回路４０への温水供給量と、その温水の温度に基づいて、追焚循環回路４０で使用された熱量を検知する。また、検知された熱量は、制御部９０のメモリに記憶される。
【００５２】
[供給温度検知部９３]
供給温度検知部９３は、給湯サーミスタ７３の出力に基づいて、カランＡ及びシャワーＢに供給される湯の供給温度を検知する。
【００５３】
[追い焚き時間検知部９４]
追い焚き時間検知部９４は、上述した熱交循環ポンプ５１が駆動している時間を、浴槽Ｃの湯を加熱するために追い焚き運転が行われた浴槽追い焚き時間として検知する。また、浴槽追い焚き時間は、熱交循環ポンプ５１が駆動するたびに検知され、その検知された時間が積算される。そして、１日分の浴槽追い焚き時間の積算結果が、制御部９０のメモリに記憶される。
【００５４】
[湯はり完了検知部９５]
湯はり完了検知部９５は、上述した湯はり運転が完了したことを検知し、その検知結果を入浴検知部９６に出力する。この湯はり運転の完了は、湯はり水量センサ６４で検出された流量の合計が予め設定された湯はり量に到達した場合に検知される。
【００５５】
[入浴検知部９６]
入浴検知部９６は、貯湯タンク２０から浴槽Ｃに供給された温水の放熱状況についての情報を検知する。より具体的には、入浴検知部９６は、湯はり運転の完了時から、ユーザが浴槽Ｃに入浴するまでの時間Ｔ１を検知することができ、湯はり運転の完了後において、保温運転により浴槽Ｃ内の温水が保温されている保温時間のうち、ユーザが浴槽Ｃに入浴していない時間Ｔ２を検知することができ、また、湯はり運転の完了後において、ユーザが浴槽Ｃに入浴していない時間であって、且つ、浴槽Ｃの蓋が開放された時間Ｔ３を検知することができる。なお、入浴検知部９６は、水位センサ５３によって入浴の有無を検知することで、ユーザが浴槽Ｃに入浴していない時間を知ることができる。そして、入浴検知部９６で検知された時間が、制御部９０のメモリに記憶される。
【００５６】
[蓋開放検知部９７]
蓋開放検知部９７は、蓋センサ５４の出力に基づいて、浴槽Ｃの蓋が開放された状態であることを検知し、その検知結果を入浴検知部９６に出力する。
【００５７】
[表示制御部９８]
表示制御部９８は、上述した各検知部９１〜９７の検知結果に基づいて、アドバイス情報を台所リモコン８５の表示部８５ａに表示すると共に、このアドバイス情報に対応した省エネ度を示す情報を表示部８５ａに表示する。
【００５８】
［リモコン８５、８６］
台所リモコン８５は、図３に示すように、貯湯タンク２０や、カランＡ、シャワーＢ及び浴槽Ｃを制御するために設けられている。また、台所リモコン８５は、表示部８５ａと、各種ボタンが設けられた操作部１０１とを備えている。図３では、表示部８５ａには、基本画面が表示されているが、後述するアドバイス画面や効果画面も表示可能である。この基本画面の上側の領域には、現在の月日、曜日及び時刻が表示されている。また、曜日や時刻が表示された領域の下方には、左側の領域において、カランＡ及びシャワーＢへの給湯温度についての設定温度が表示されており、中央の領域において、貯湯タンク２０の残湯量が表示されており、右側の領域において、浴槽Ｃへの給湯温度についての設定温度が表示されている。
【００５９】
操作部１０１には、カランＡ及びシャワーＢの給湯温度を設定するための給湯温度設定ボタン１０２や、各種設定変更を行うためのメニューボタン１０３や、貯湯タンク２０に貯留された湯量を設定するための湯量設定ボタン１０４や、貯湯タンク２０における沸き増し運転を停止するためのエコ停止ボタン１０５や、貯湯タンク２０の沸き増し運転を行うための沸き増しボタン１０６や、アドバイスの表示や省エネ度の表示を確認するためのエコ確認ボタン１０７や、伝言メモを確認するための伝言メモボタン１０８などが設けられている。
【００６０】
また、浴室リモコン８６は、図４に示すように、カランＡ、シャワーＢ及び浴槽Ｃを制御するために設けられている。また、浴室リモコン８６は、表示部８６ａと、各種ボタンが設けられる操作部１１１とを備えている。操作部１１１には、カランＡ及びシャワーＢの給湯温度を設定するための給湯温度設定ボタン１１２、浴槽設定温度を設定するための浴槽温度設定ボタン１１３、各種設定変更を行うためのメニューボタン１１４、浴槽Ｃに湯はりをするための湯はりボタン１１５、浴槽温度設定ボタン１１３により設定された温度まで浴槽Ｃの湯を沸き上げるための追い焚きボタン１１６などが設けられている。
【００６１】
[各種画面]
図５は、台所リモコン８５の表示部８５ａに表示された各種画面の一例を示している。図５（ａ）に示す画面は、温水供給システム１における使用湯量をユーザが確認するための使用湯量グラフ画面を示している。この使用湯量グラフ画面は、基本画面が表示された状態で、エコ確認ボタン１０７（図３参照）が押下された場合に表示される。図５（ａ）に示すように、この使用湯量グラフ画面の上側領域には、現在時刻が表示されており、現在時刻が表示された領域の下方には、棒グラフが表示されている。
【００６２】
この棒グラフは、現在時刻から遡った過去１週間に、温水供給システム１で使用された使用湯量を日毎に示している。また、棒グラフの縦軸は、温水供給システム１における使用湯量（Ｌ）を示しており、軸目盛りの最大値は１０００（Ｌ）に設定されている。また、棒グラフが表示された領域の右方には、過去１週間における使用湯量の最大値（最大使用湯量）が表示されている。この例では、現在の月日の４日前における使用湯量が最大使用湯量７００（Ｌ）として表示されている。
【００６３】
また、使用湯量グラフ画面の下端部の左側にはアドバイスボタンが表示されており、右側には終了ボタンが表示されている。アドバイスボタン及び終了ボタンは、台所リモコン８５の操作部１０１の操作に応じて選択可能である。使用湯量グラフ画面は、アドバイスボタンを選択することにより、ユーザに対するアドバイス情報が表示されたアドバイス画面（図５（ｂ−１）参照）に切り換わる。
【００６４】
図５（ｂ−１）〜（ｈ−１）に示す画面は、上述したアドバイス画面を示している。各アドバイス画面は、後述する次ボタンの操作に応じて、図５（ｂ−１）〜（ｈ−１）の順番で切換表示される。アドバイス画面の上側領域には、現在時刻が表示されている。また、この現在時刻が表示された領域の下方には、各種のアドバイス情報が表示されている。例えば、図５（ｂ−１）に示す画面には、アドバイス情報として、“お湯はこまめに止めましょう。本日、お湯を連続で出した時間[最大○○分]”が表示されている。なお、この[]内の○○部分には、上述した１日の供給継続時間の最大値（最大供給継続時間）が表示される。
【００６５】
また、図５（ｂ−１）〜（ｈ−１）に示すように、アドバイス画面の下端部の左側には効果ボタンが表示されており、中央部には次ボタンが表示されており、右側には終了ボタンが表示されている。効果ボタン、次ボタン及び終了ボタンは、台所リモコン８５の操作部１０１の操作に応じて選択可能である。従って、図５（ｂ−１）に示す画面は、効果ボタンが選択された場合、図５（ｂ−２）に示す効果画面に切り換わる。この効果画面の上側の領域には現在時刻が表示されている。また、現在時刻が表示された領域の下方には、各アドバイス情報に対応した省エネ度を示す情報（電気料金の節約料）が表示されている。図５（ｂ−２）に示す画面には、図５（ｂ−１）に示すアドバイス情報中の“お湯をこまめに止めましょう。”の部分に対応した省エネ度を示す情報として、“１０分（シャワー約１００Ｌ）減らすと、一ヶ月あたり約５０〜２５０円の節約ができます。”が表示されている。一方、図５（ｂ−１）に示す画面は、次ボタンが選択された場合、図５（ｃ−１）に示す画面に切り換わる。図５（ｃ−１）に示す画面では、アドバイス情報として、“タンクのお湯が余りそうです。「エコ停止」を設定すると昼間の沸き上げを停止できます。本日の使用量[○○Ｌ]”が表示されている。なお、この[]内の○○部分には、本日中の現在時刻までに、貯湯タンク２０からカランＡ、シャワーＢ及び浴槽Ｃに供給された温水供給量の合計が表示される。
【００６６】
図５（ｃ−１）に示す画面は、効果ボタンが選択された場合、図５（ｃ−２）に示す効果画面に切り換わる。図５（ｃ−２）に示す画面には、図５（ｃ−１）に示すアドバイス情報中の“「エコ停止」を設定すると昼間の沸き上げを停止できます。”に対応した省エネ度を示す情報として、“昼間の運転が１時間短くなると一カ月あたり約○○円の節約ができます。”が表示されている。一方、図５（ｃ−１）に示す画面は、次ボタンが選択された場合、図５（ｄ−１）に示す画面に切り換わる。図５（ｄ−１）に示す画面では、アドバイス情報として、“給湯温度は低めに設定しましょう。現在の給湯設定温度[○○℃]”が表示されている。なお、この[]内の○○部分には、カランＡ及びシャワーＢに供給される湯の供給温度が表示される。
【００６７】
図５（ｄ−１）に示す画面は、効果ボタンが選択された場合、図５（ｄ−２）に示す効果画面に切り換わる。図５（ｄ−２）に示す画面には、図５（ｄ−１）に示すアドバイス情報中の“給湯温度は低めに設定しましょう。”に対応した省エネ度を示す情報として、“給湯温度を２℃低めに設定すると、一カ月あたり約５０〜１５０円の節約ができます。”が表示されている。一方、図５（ｄ−１）に示す画面は、次ボタンが選択された場合、図５（ｅ−１）に示す画面に切り換わる。図５（ｅ−１）に示す画面では、アドバイス情報として、“追いだきより高温たし湯を使いましょう。本日の追いだき時間（保温含む）[○○分]”が表示されている。この[]内の○○部分には、浴槽追い焚き時間の積算結果が表示される。
【００６８】
図５（ｅ−１）に示す画面は、効果ボタンが選択された場合、図５（ｅ−２）に示す効果画面に切り換わる。図５（ｅ−２）に示す画面には、図５（ｅ−１）に示すアドバイス情報中の“追いだきより高温たし湯を使いましょう。”に対応した省エネ度を示す情報として、“追いだきより高温たし湯がお得です。おふろの温度を上げる場合、一カ月あたり約○○円の節約ができます。”が表示されている。一方、図５（ｅ−１）に示す画面は、次ボタンが選択された場合、図５（ｆ−１）に示す画面に切り換わる。図５（ｆ−１）に示す画面では、アドバイス情報として、“おふろが沸いたらすぐに入浴し、適切な保温時間を設定しましょう。おふろが沸いてから入浴までの時間[○○分]”が表示されている。この[]内の○○部分には、上述した時間Ｔ１が表示される。
【００６９】
図５（ｆ−１）に示す画面は、効果ボタンが選択された場合、図５（ｆ−２）に示す効果画面に切り換わる。図５（ｆ−２）に示す画面には、図５（ｆ−１）に示すアドバイス情報中の“おふろが沸いたらすぐに入浴し、適切な保温時間を設定しましょう。”に対応した省エネ度を示す情報として、“保温時間が１時間短くなると一カ月あたり約○○円の節約ができます。”が表示されている。一方、図５（ｆ−１）に示す画面は、次ボタンが選択された場合に、図５（ｇ−１）に示す画面に切り換わる。図５（ｇ−１）に示す画面では、アドバイス情報として、“おふろは時間をあけずに入り、適切な保温時間を設定しましょう。ふろ保温中に入浴していなかった時間[○○分]”が表示されている。この[]内の○○部分には、上述した時間Ｔ２が表示される。
【００７０】
図５（ｇ−１）に示す画面は、効果ボタンが選択された場合、図５（ｇ−２）に示す効果画面に切り換わる。図５（ｇ−２）に示す画面には、図５（ｇ−１）に示すアドバイス情報中の“おふろは時間をあけずに入り、適切な保温時間を設定しましょう。”に対応した省エネ度を示す情報として、“保温時間が１時間短くなると一カ月あたり約○○円の節約ができます。”が表示されている。一方、図５（ｇ−１）に示す画面は、次ボタンが選択された場合に、図５（ｈ−１）に示す画面に切り換わる。図５（ｈ−１）に示す画面では、アドバイス情報として、“浴そうにふたをして、冷めないようにしましょう。”が表示されている。
【００７１】
図５（ｈ−１）に示す画面は、効果ボタンが選択された場合、図５（ｈ−２）に示す効果画面に切り換わる。図５（ｈ−２）に示す画面には、図５（ｈ−１）に示すアドバイス情報中の“浴そうにふたをして、冷めないようにしましょう。”に対応した省エネ度を示す情報として、“浴そうにふたをすることで、一ヶ月あたり約○○円の節約ができます。”と表示されている。
【００７２】
また、図５（ｂ−２）〜（ｈ−２）に示すように、効果画面の下端部の左側には、戻るボタンが表示されており、右側には終了ボタンが表示されている。戻るボタン及び終了ボタンは、台所リモコン８５の操作部１０１の操作に応じて選択可能である。従って、図５（ｂ−２）〜（ｈ−２）に示す効果画面は、戻るボタンの選択に応答して、図５（ｂ−１）〜（ｈ−１）に示すアドバイス画面に切り換わる。
【００７３】
なお、本実施形態では、使用湯量グラフ画面（図５（ａ）参照）、アドバイス画面（図５（ｂ−１）〜（ｈ−１）参照）、効果画面（図５（ｂ−２）〜（ｈ−２）参照）が表示された状態で、終了ボタンが選択された場合、これらの画面はいずれも基本画面（図３参照）に切り換わる。
【００７４】
[アドバイス表示／効果表示動作]
次に、本実施形態のアドバイス表示／効果表示動作について、図６を参照しつつ説明する。図６は、本実施形態のアドバイス表示／効果表示動作を示すフローチャートである。
【００７５】
まず、ステップＳ１００において、台所リモコン８５の表示部８５ａに基本画面が表示される。そして、ステップＳ１０１において、ユーザによるエコ確認要求があったか否か、つまり、エコ確認ボタン１０７が押下されたか否かが判断される。エコ確認ボタン１０７の押下が検知された場合、ステップＳ１０２に移行し、表示部８５ａに使用湯量グラフ画面が表示される。一方、エコ確認ボタン１０７の押下が検知されない場合、表示部８５ａに基本画面が表示されたままの状態でステップＳ１０１の判断が繰り返される。
【００７６】
そして、使用湯量グラフ画面が表示された後のステップＳ１０３において、ユーザによるアドバイス確認要求があったか否か、つまり、使用湯量グラフ画面中のアドバイスボタンが選択されたか否かが判断される。アドバイスボタンの選択が検知された場合、ステップＳ１０４に移行し、表示部８５ａにアドバイス画面が表示される。一方、アドバイスボタンの選択が検知されない場合、表示部８５ａに使用湯量グラフ画面が表示されたままの状態でステップＳ１０３の判断が繰り返される。
【００７７】
そして、アドバイス画面が表示された後のステップＳ１０５において、ユーザによる効果確認要求があったか否か、つまり、アドバイス画面中の効果ボタンが選択されたか否かが判断される。効果ボタンの選択が検知されない場合、ステップＳ１０６に移行し、ユーザによる次のアドバイス確認要求があったか否か、つまり、アドバイス画面中の次ボタンが選択されたか否かが判断される。そして、次ボタンの選択が検知された場合、ステップＳ１０４に移行し、表示部８５ａに次のアドバイス画面が表示される。一方、次ボタンの選択が検知されない場合、その選択が検知されるまで、ステップＳ１０６が繰り返される。
【００７８】
一方、ステップＳ１０５において、効果ボタンの選択が検知された場合、ステップＳ１０７に移行し、表示部８５ａに効果画面が表示される。そして、効果画面が表示された後のステップＳ１０８において、ユーザによるアドバイス画面の再確認要求があったか否か、つまり、効果画面中の戻るボタンが選択されたか否かが判断される。そして、戻るボタンの選択が検知された場合、処理はステップＳ１０４に移行し、アドバイス画面が再表示される。一方、戻るボタンの選択が検知されない場合、その選択が検知されるまで、ステップ１０８が繰り返される。
【００７９】
なお、本実施形態では、使用湯量グラフ画面、アドバイス画面、効果画面が表示された状態で、終了ボタンが選択された場合、これらの画面はいずれも基本画面（図３参照）に切り換わる。
【００８０】
[本実施形態の温水供給システムの特徴]
以上、本実施形態の温水供給システムでは、貯湯タンク２０からカランＡ又はシャワーＢへの温水供給が継続される供給継続時間に着目し、この供給継続時間に基づいたアドバイス情報を表示部８５ａに表示することにより、貯湯タンク２０内に貯留された温水の使用状況によるロスを抑制するために十分なアドバイス情報をユーザに対して表示することができる。
【００８１】
また、給湯水量センサ７２で連続して流量が検出された時間に基づいて供給継続時間を容易に検知できる。
【００８２】
また、浴槽追い焚き時間に着目し、この浴槽追い焚き時間の積算結果に基づいたアドバイス情報を表示部８５ａに表示することにより、貯湯タンク２０内に貯留された温水や、貯湯タンク２０から浴槽Ｃに供給された温水の使用状況によるロスを抑制するために十分なアドバイス情報をユーザに表示することができる。
【００８３】
また、カランＡ及びシャワーＢに供給される湯の供給温度に着目し、この供給温度に基づいたアドバイス情報を表示部８５ａに表示することにより、貯湯タンク２０内に貯留された温水の使用状況によるロスを抑制するために十分なアドバイス情報をユーザに対して表示することができる。
【００８４】
また、湯はり運転の完了後において、浴槽Ｃ内の温水が保温されている保温時間のうち、ユーザが浴槽Ｃに入浴していない時間Ｔ２に着目し、この時間Ｔ２に基づいたアドバイス情報を表示部８５ａに表示することにより、浴槽Ｃからの放熱によるロスを抑制するために十分なアドバイス情報をユーザに対して表示することができる。
【００８５】
また、湯はり運転の完了後において、ユーザが浴槽Ｃに入浴していない時間であって、且つ、浴槽の蓋が開放された時間Ｔ３に着目し、この時間Ｔ３に基づいたアドバイス情報を表示部８５ａに表示することにより、浴槽Ｃからの放熱によるロスを抑制するために十分なアドバイス情報をユーザに対して表示することができる。
【００８６】
また、浴槽Ｃ内の水位を検出する水位センサ５３の出力に基づいて、ユーザが浴槽Ｃに入浴しているか否かを容易に検知できる。
【００８７】
また、所定期間において貯湯タンク２０からカランＡ、シャワーＢ及び浴槽Ｃに供給される温水供給量に着目し、この温水供給量に基づいたアドバイス情報を表示部８５ａに表示することにより、貯湯タンク２０内に貯留された温水の使用状況によるロスを抑制するために十分なアドバイス情報をユーザに対して表示することができる。
【００８８】
また、湯はり運転の完了時から、ユーザが浴槽Ｃに入浴するまでの時間Ｔ１に着目し、この時間Ｔ１に基づいたアドバイス情報を表示部８５ａに表示することにより、浴槽Ｃからの放熱によるロスを抑制するために十分なアドバイス情報をユーザに対して表示することができる。
【００８９】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００９０】
上述した実施形態では、温水供給システム１がカランＡやシャワーＢの給湯端末を備えており、給湯水量センサ７２が流量を検知している時間に基づいて、台所リモコン８５の表示部８５ａにアドバイスの表示や省エネ度の表示を行う例について述べたが、本発明はこれに限定されず、温水供給システムが床温調パネルやラジエタ等の暖房端末を備えている場合、貯湯タンクと暖房端末との間で温水を循環させる循環ポンプの連続運転時間に基づいて、表示部にアドバイスの表示や省エネ度の表示を行ってもよい。
【００９１】
上述した実施形態では、温水供給システム１がカランＡやシャワーＢの給湯端末を備えており、給湯サーミスタ７３の出力に基づいて、台所リモコン８５の表示部８５ａにアドバイスの表示や省エネ度の表示を行う例について述べたが、本発明はこれに限定されず、温水供給システムが床温調パネルやラジエタ等の暖房端末を備えている場合、貯湯タンクから暖房端末に供給される温水の温度に基づいて、表示部にアドバイスの表示や省エネ度の表示を行ってもよい。
【００９２】
上述した実施形態では、カランＡ又はシャワーＢ等の制御を行う台所リモコン８５のみが、エコ停止ボタン１０５や、エコ確認ボタン１０７を有しており、その表示部８５ａに、使用湯量グラフ画面、アドバイス画面や効果画面が表示される例について述べたが、本発明はこれに限定されず、浴室リモコン８６が、エコ停止ボタンやエコ確認ボタン１０７を有しており、その表示部８６ａに、使用湯量グラフ画面、アドバイス画面や効果画面が表示されてもよい。また、貯湯タンク２０の制御を行うタンク用リモコンが、貯湯タンク２０の側面部に設けられており、そのリモコンがエコ停止ボタンやエコ確認ボタンを有しており、リモコンの表示部に、使用湯量グラフ画面、アドバイス画面や効果画面が表示されてもよい。
【００９３】
上述した実施形態では、入浴検知部９６において、浴槽が使用されない時間として、ユーザが浴槽Ｃに入浴していない時間を用いた例について述べたが、本発明はこれに限定されず、入浴検知部９６において、浴槽が使用されない時間として、ユーザが浴室に入室していない時間を用いてもよい。なお、ユーザが浴室に入室したか否かについては、入浴者を直接的に検知する人体センサ（例えば、撮像素子や赤外線検出素子）や、浴室のドアの開閉を検知する開閉センサを用いて検知可能である。
【００９４】
上述した実施形態では、浴槽が使用されているか否かを検知する使用検知手段として、水位センサ５３を用いた例について述べたが、本発明はこれに限定されず、使用検知手段として、浴室リモコン８５が操作されたか否かを検知するものでもよいし、浴室内の音を検知するものでもよい。また、使用検知手段としては、上記の水位センサ５３、浴室リモコン８５が操作されたか否かを検知するもの、浴室内の音を検知するものの少なくとも１つであればよい。
【００９５】
上述した実施形態では、表示制御部９８が、各検知部９１〜９７の検知結果に基づいて、台所リモコン８５の表示部８５ａにアドバイス画面（図５（ｂ−１）〜（ｈ−１）参照）を表示する例について述べたが、本発明はこれに限定されず、表示制御部９８が、表示部８５ａにアドバイス画面を表示するか否かを判断し、この判断結果に基づいて、表示部８５ａにアドバイス画面を表示してもよい。より具体的には、表示制御部９８は、最大供給継続時間が、予め決められた所定値よりも大きい場合に、アドバイス画面（図５（ｂ−１）参照）を表示してもよい。また、表示制御部９８は、貯湯タンク２０からカランＡ、シャワーＢ及び浴槽Ｃに供給される温水供給量が、予め決められた基準量よりも小さい場合に、アドバイス画面（図５（ｃ−１）参照）を表示してもよい。なお、この基準量は、過去１週間の所定期間（例えば、午前零時〜正午）において貯湯タンク２０からカランＡ、シャワーＢ及び浴槽Ｃに供給された温水供給量の平均値であり、制御部９０のメモリに記憶されている。
【００９６】
また、表示制御部９８は、カランＡ及びシャワーＢに供給される湯の供給温度が予め決められた所定温度よりも高い場合に、アドバイス画面（図５（ｄ−１）参照）を表示してもよい。なお、この判断は、カランＡ及びシャワーＢに供給される湯の供給温度に限らず、浴槽Ｃに供給される湯の供給温度と所定温度との比較結果に基づいて行われてもよい。また、表示制御部９８は、浴槽追い焚き時間の積算結果が所定値よりも大きい場合に、アドバイス画面（図５（ｅ−１）参照）を表示すると判断してもよい。また、表示判断部９８は、時間Ｔ１〜Ｔ３が予め決められた所定時間よりも長い場合に、アドバイス画面（図５（ｆ−１）〜（ｈ−１）参照）を表示してもよい。この場合、各アドバイス画面は、次ボタンの操作に応じて、図５（ｂ−１）〜（ｈ−１）の順番に切換表示されるとは限らない。つまり、上述の判断により、例えば、図５（ｃ−１）に示すアドバイス画面を表示しないと判断された場合であって、図５（ｂ−１）に示すアドバイス画面の表示中に次ボタンが選択された場合には、図５（ｂ−１）に示すアドバイス画面から図５（ｃ−１）に示すアドバイス画面に切り換わらずに、図５（ｂ−１）に示すアドバイス画面から図５（ｄ−１）に示すアドバイス画面に切り換わる。
【００９７】
上述した実施形態では、各アドバイス情報に対応した省エネ度を示す情報として、電気料金の節約料が表示される例について述べたが、本発明はこれに限定されず、各アドバイス情報に対応した省エネ度を示す情報として、電力使用量の節電量が表示されてもよい。
【００９８】
上述した実施形態では、図５（ｂ−１）に示すアドバイス情報のうち、“お湯をこまめに止めましょう。”の部分に対応した省エネ度を示す情報として、お湯を連続で出した時間（最大供給継続時間）によらずに、“１０分（シャワー約１００Ｌ）減らすと、一ヶ月あたり約５０〜２５０円の節約ができます。”が表示される例について述べたが、本発明はこれに限定されず、最大供給継続時間に応じて、異なった省エネ度を示す情報が表示されてもよい。
【００９９】
同様に、上述した実施形態では、図５（ｃ−１）に示すアドバイス情報のうち、“「エコ停止」を設定すると昼間の沸き上げを停止できます。”の部分に対応した省エネ度を示す情報として、本日の使用量（貯湯タンク２０からカランＡ、シャワーＢ及び浴槽Ｃに供給された温水供給量の合計）によらずに、“昼間の運転が１時間短くなると一カ月あたり約○○円の節約ができます。”が表示される例について述べたが、本発明はこれに限定されず、貯湯タンク２０からカランＡ、シャワーＢ及び浴槽Ｃに供給された温水供給量の合計に応じて、異なった省エネ度を示す情報が表示されてもよい。
【０１００】
同様に、上述した実施形態では、図５（ｄ−１）に示すアドバイス情報のうち、“給湯温度は低めに設定しましょう。”に対応した省エネ度を示す情報として、給湯設定温度（カランＡ及びシャワーＢに供給される湯の供給温度）によらずに、“給湯温度を２℃低めに設定すると、一カ月あたり約５０〜１５０円の節約ができます。”が表示される例について述べたが、本発明はこれに限定されず、カランＡ及びシャワーＢに供給される湯の供給温度に応じて、異なった省エネ度を示す情報が表示されてもよい。
【０１０１】
同様に、上述した実施形態では、図５（ｅ−１）に示すアドバイス情報のうち、“追いだきより高温たし湯を使いましょう。”に対応した省エネ度を示す情報として、追いだき時間（浴槽追い焚き時間の積算結果）によらずに、“追いだきより高温たし湯がお得です。おふろの温度を上げる場合、一カ月あたり約○○円の節約ができます。”が表示される例について述べたが、本発明はこれに限定されず、浴槽追い焚き時間の積算結果に応じて、異なった省エネ度を示す情報が表示されてもよい。
【０１０２】
同様に、上述した実施形態では、図５（ｆ−１）に示すアドバイス情報のうち、“おふろが沸いたらすぐに入浴し、適切な保温時間を設定しましょう。”に対応した省エネ度を示す情報として、おふろが沸いてから入浴までの時間（時間Ｔ１）によらずに、“保温時間が１時間短くなると一カ月あたり約○○円の節約ができます。”が表示される例について述べたが、本発明はこれに限定されず、時間Ｔ１に応じて、異なった省エネ度を示す情報が表示されてもよい。
【０１０３】
同様に、上述した実施形態では、図５（ｇ−１）に示すアドバイス情報のうち、“ふろは時間をあけずに入り、適切な保温時間を設定しましょう。”に対応した省エネ度を示す情報として、ふろ保温中に入浴していなかった時間（時間Ｔ２）によらずに、“保温時間が１時間短くなると一カ月あたり約○○円の節約ができます。”が表示される例について述べたが、本発明はこれに限定されず、時間Ｔ２に応じて、異なった省エネ度を示す情報が表示されてもよい。
【０１０４】
同様に、上述した実施形態では、図５（ｈ−１）に示すアドバイス情報のうち、“浴そうにふたをして、冷めないようにしましょう。”に対応した省エネ度を示す情報として、時間Ｔ３によらずに、“浴そうにふたをすることで、一ヶ月あたり約○○円の節約ができます。”が表示される例について述べたが、本発明はこれに限定されず、時間Ｔ３に応じて、異なった省エネ度を示す情報が表示されてもよい。
【０１０５】
上述した実施形態では、浴槽Ｃの追い焚き運転が行われた時間として、熱交循環ポンプ５１が駆動している時間を検知する例について述べたが、本発明はこれに限定されず、追い焚き運転が行われた時間として、熱交循環ポンプ４２が駆動している時間を検知してもよい。
【０１０６】
上述した実施形態では、使用湯量グラフ画面、アドバイス画面及び効果画面から基本画面への切り換えが、終了ボタンの押下により行われる例について述べたが、本発明はこれに限定されず、基本画面への切り換えが、台所リモコン８５の蓋が閉じられたときに行われるものでもよく、例えば、エコ確認ボタン１０７の押下から継続して３０秒間、台所リモコン８５が無操作の場合に行われるものでもよい。
【０１０７】
上述した実施形態では、給湯水量センサ７２が流量を検知している時間が、貯湯タンク２０からカランＡ又はシャワーＢへの温水供給が継続される供給継続時間として検知される例について述べたが、本発明はこれに限定されず、湯はり水量センサ６４が流量を検知している時間が、貯湯タンク２０から浴槽Ｃへの温水供給が継続される供給継続時間として検知されてもよい。
【０１０８】
上述した実施形態では、浴槽追い焚き時間の積算結果に基づいて、アドバイス画面が表示される例について述べたが、本発明はこれに限定されず、浴槽Ｃの追い焚き運転が連続して行われる追焚連続時間に基づいて、アドバイス画面を表示してもよい。
【産業上の利用可能性】
【０１０９】
本発明を利用すれば、使用状況によるロスを抑制するために十分なアドバイスをユーザに対して表示可能な温水供給システムを得ることができる。
【符号の説明】
【０１１０】
１  温水供給システム
１ａ  ヒートポンプユニット１ａ（加熱手段）
２０  貯湯タンク
４０  追焚循環回路（追い焚き手段）
５３  水位センサ（使用検知手段）
５４  蓋センサ（蓋開放検出センサ）
７２  給湯水量センサ（流量センサ）
８５  台所リモコン
８５ａ  表示部
８６  浴室リモコン
９０  制御部
９１  供給継続時間検知部（供給継続時間検知手段）
９２  使用ペース検知部
９３  供給温度検知部（供給温度検知手段）
９４  追い焚き時間検知部（追い焚き時間検知手段）
９５  湯はり完了検知部
９６  入浴検知部（保温時間検知手段及び蓋開放時間検知手段）
９７  蓋開放検知部
９８  表示制御部（表示制御手段）
Ａ  カラン（温水供給端末）
Ｂ  シャワー（温水供給端末）
Ｃ  浴槽（温水供給端末）
【図１】
2011149581.tif 000003
【図２】
2011149581.tif 000004
【図３】
2011149581.tif 000005
【図４】
2011149581.tif 000006
【図５】
2011149581.tif 000007
【図６】
2011149581.tif 000008